(57)【要約】【課題】放送番組を視聴することを妨げないようにして、この番組についての進行状況がユーザによって視覚的に把握できるようにする。【解決手段】現在においてテレビジョンチューナ１１により受信選局して表示出力中にあるとされる番組についての開始時刻と終了時刻の情報を、ＥＰＧデータから取得する。また、自身が持つ時計機能から現在時刻情報を取得する。そして、これらの時刻の情報から、表示出力中の番組の放送時間帯における、開始時刻から現在時刻までの経過時間長の占有率を、進行状況として求め、この占有率がプログレスバー形式で反映されるようにした表示態様の進行状況指示画像を、上記表示出力中の番組の画像に合成して表示させる。【選択図】図４
2008092094.tif 000002
【特許請求の範囲】
【請求項１】
番組を基に編成しているものとされる放送について選局を行って、選局された放送局の映像及び／又は音声信号であるコンテンツ信号を取得するコンテンツ信号取得手段と、
上記コンテンツ信号取得手段により取得したコンテンツ信号を、画像及び／又は音声として出力することの可能な経路に出力するコンテンツ信号出力手段と、
所定の提供方式により外部から提供される情報であり、上記番組の開始時刻を示す番組開始時刻情報と、上記番組の終了時刻を示す番組終了時刻情報を取得する番組開始／終了時刻情報取得手段と、
現在時刻を示す情報である現在時刻情報を取得する現在時刻情報取得手段と、
現在において上記コンテンツ信号取得手段により取得されて、上記コンテンツ信号出力手段により出力中にあるとされるコンテンツ信号が対応するとされる番組である、出力番組についての放送時間における進行状況を、上記番組開始／終了時刻情報取得手段により取得された上記出力番組についての番組開始時刻情報及び番組終了時刻情報と、上記現在時刻情報取得手段により取得される現在時刻情報とに基づいて認識する進行状況認識手段と、
上記進行状況認識手段によって認識された上記進行状況を示す所定態様の画像である進行状況指示画像の映像信号を生成する進行状況画像生成手段と、
上記進行状況画像生成手段により生成した進行状況指示画像の映像信号を、画像として出力することの可能な経路に出力する進行状況指示画像出力手段と、
を備えることを特徴とする放送受信装置。
【請求項２】
上記進行状況画像生成手段は、
上記進行状況指示画像について、出力番組の開始／終了時刻をそれぞれ開始位置／終端位置とする所定形状の全体領域において、出力番組の開始時刻から現在時刻までが占有するとされる割合の領域が示される表示態様となるようにして、映像信号を生成する、
ことを特徴とする請求項１に記載の放送受信装置。
【請求項３】
上記進行状況画像生成手段は、
上記進行状況指示画像について、出力番組の開始時刻から終了時刻までの時間長における、出力番組の開始時刻から現在時刻までが占有するとされる割合を示す文字数字を含む表示態様となるようにして、映像信号を生成する、
ことを特徴とする請求項１に記載の放送受信装置。
【請求項４】
上記進行状況認識手段は、
上記受信手段により受信選局される放送局が切り換えられた場合には、この切り換えが行われた放送局において現在放送中にあるとされる番組を、上記出力番組として、上記進行状況の認識を実行するようにされる、
ことを特徴とする請求項１に記載の放送受信装置。
【請求項５】
番組を基に編成しているものとされる放送についての選局を実行させることで、選局された放送局の映像及び／又は音声信号であるコンテンツ信号を取得させるコンテンツ信号取得手順と、
上記コンテンツ信号取得手順により取得させるコンテンツ信号を、画像及び／又は音声として出力することの可能な経路に出力させるコンテンツ信号出力手順と、
所定の提供方式により外部から提供される情報であり、上記番組の開始時刻を示す番組開始時刻情報と、上記番組の終了時刻を示す番組終了時刻情報を取得する番組開始／終了時刻情報取得手順と、
現在時刻を示す情報である現在時刻情報を取得する現在時刻情報取得手順と、
現在において上記コンテンツ信号取得手順により取得されて、上記コンテンツ信号出力手順により出力中にあるとされるコンテンツ信号が対応するとされる番組である、出力番組についての放送時間における進行状況を、上記番組開始／終了時刻情報取得手順により取得された上記出力番組についての番組開始時刻情報及び番組終了時刻情報と、上記現在時刻情報取得手順により取得される現在時刻情報とに基づいて認識する進行状況認識手順と、
上記進行状況認識手順によって認識された上記進行状況を示す所定態様の画像である進行状況指示画像の映像信号を生成する進行状況画像生成手順と、
上記進行状況画像生成手順により生成した進行状況指示画像の映像信号を、画像として出力することの可能な経路に出力させる進行状況指示画像出力手順と、
を実行することを特徴とする表示制御方法。
【請求項６】
番組を基に編成しているものとされる放送についての選局を実行させることで、選局された放送局の映像及び／又は音声信号であるコンテンツ信号を取得させるコンテンツ信号取得手順と、
上記コンテンツ信号取得手順により取得させるコンテンツ信号を、画像及び／又は音声として出力することの可能な経路に出力させるコンテンツ信号出力手順と、
所定の提供方式により外部から提供される情報であり、上記番組の開始時刻を示す番組開始時刻情報と、上記番組の終了時刻を示す番組終了時刻情報を取得する番組開始／終了時刻情報取得手順と、
現在時刻を示す情報である現在時刻情報を取得する現在時刻情報取得手順と、
現在において上記コンテンツ信号取得手順により取得されて、上記コンテンツ信号出力手順により出力中にあるとされるコンテンツ信号が対応するとされる番組である、出力番組についての放送時間における進行状況を、上記番組開始／終了時刻情報取得手順により取得された上記出力番組についての番組開始時刻情報及び番組終了時刻情報と、上記現在時刻情報取得手順により取得される現在時刻情報とに基づいて認識する進行状況認識手順と、
上記進行状況認識手順によって認識された上記進行状況を示す所定態様の画像である進行状況指示画像の映像信号を生成する進行状況画像生成手順と、
上記進行状況画像生成手順により生成した進行状況指示画像の映像信号を、画像として出力することの可能な経路に出力させる進行状況指示画像出力手順と、
を表示制御装置に実行させることを特徴とするプログラム。
【発明の詳細な説明】
【技術分野】
【０００１】
本発明は、例えばテレビジョン放送などの放送を受信する機能を有するようにされた放送受信装置と、このような放送受信装置に実装可能な表示制御装置としての構成部位に適用されるべき表示制御方法とに関する。また、このような表示制御装置に実行させるプログラムに関する。
【背景技術】
【０００２】
【特許文献１】特開２０００−２７０２７６号公報
【特許文献２】特開２００５−１７５６９５号公報
【０００３】
近年のテレビジョン放送に関連するサービスとして、ＥＰＧ（Electronic Programming Guide：電子番組ガイド）のデータをユーザ側に提供することが行われている。ＥＰＧデータは、例えば放送に重畳される形式で送出される、あるいはインターネット上のサーバによりアップロードされるようになっており、テレビジョン放送を受信する装置を使用するユーザ側では、放送と共にＥＰＧデータを受信取得する、あるいはインターネットからダウンロードするようにしてＥＰＧデータを入手するようにされる。そして、一般には、このようにして入手したＥＰＧデータを利用して、ディスプレイ画面上に番組表を表示させることが行われている。
このようなＥＰＧデータを利用した番組表の表示出力に関連する技術として、特許文献１、２などに記載されているように、番組表上で、現時点において放送中である番組についての進行状況を示し得る表示内容を提示するようにしたものが知られている。
【発明の開示】
【発明が解決しようとする課題】
【０００４】
しかしながら、例えば実際にあっては、放送されている番組を視聴しているときに、この視聴している番組についての進行状況を把握したいとユーザが思うような場合もしばしばあると考えられる。このような場合において、上記特許文献１、２などのようにして番組表において番組の進行状況を表示させるような構成では、これまでに視聴していた番組の画像から、番組表が表示される画像に切り換えを行わなければならなくなる。するとこの場合、進行状況を知るために番組表を表示させている間は、いままでの番組の視聴が中断されてしまって、その内容をユーザが把握できなくなるという不都合を生じることになる。
【課題を解決するための手段】
【０００５】
そこで、本発明は上記した課題を考慮して、放送受信装置として次のように構成することとした。
【０００６】
上記構成の放送受信装置としては、例えば放送について放送局の選局を行って映像、音声の信号であるコンテンツ信号を得るようにされている。このコンテンツ信号は、例えば放送受信装置にて、あるいは外部にて最終的に画像音声として出力することが可能とされている。そのうえで、放送番組についての番組開始時刻情報と番組終了時刻情報を取得するようにされており、これらの番組開始時刻情報及び番組終了時刻情報と、現在時刻情報とに基づいて、現在においてそのコンテンツ信号を出力中にあるとされる放送番組（出力番組）についての進行状況を認識するようにされる。そして、この認識結果に応じて進行状況を示す画像である進行状況指示画像を生成して、その映像信号を、画像として表示出力可能な経路に出力するようにされる。つまり、進行状況指示画像の表示出力を行わせるようにする。これにより、本願発明の放送受信装置としては、出力番組の画像が表示されると同時に、この番組の進行状況を示す画像も表示出力されることになる。
【発明の効果】
【０００７】
このようにして、本発明によっては、現在視聴中とされる放送番組の画像とともに、その進行状況を示す画像が表示される。つまり、放送番組の画像を継続して視ながら、同時的に表示されているその放送番組の進行状況を同時に把握することができる。換言すれば、例えば１つの表示画面上で、番組の画像から電子番組表の画像に切り換えなくとも、番組を視聴しながら放送番組の進行状況が把握できるものであり、それだけ利便性が高められているものである。
【発明を実施するための最良の形態】
【０００８】
以降、本願発明を実施するための最良の形態（以下、「実施の形態」という）について説明していく。本実施の形態としては、本願発明に基づいて構成される放送受信装置を、ＤＶＤレコーダに適用する。ＤＶＤレコーダは、例えばチューナ機能によりテレビジョン放送を受信して得られる映像(及び音声)の情報を、ＤＶＤ(Digital Versatile Disc)やＨＤＤ(ハードディスクドライブ)に記録（録画）することのできるＡＶ(Audio Video/Audio Visual)機器である。
また、実際のＤＶＤレコーダ１においては、映像情報とともに、映像情報とともに同期再生されるべき音声情報も扱うものであるが、ここでは、説明を簡単にすることの便宜上、音声情報についての信号処理系の構成についての図示、及び説明などは省略する。
【０００９】
図１は、本実施の形態のＤＶＤレコーダ１の構成例を示している。
先ず、テレビジョンチューナ１１においては、テレビジョン放送に対応した受信選局、及び復調などの処理を実行して、選局したチャンネル(放送局)のビデオ信号（映像信号：コンテンツ信号）を、入出力処理部１２に出力するようにされる。なお、この場合のテレビジョンチューナ１１では、ＲＦ信号形式によるテレビジョン放送信号を信号入力端子２４から入力することで受信としての動作を行うものとされている。また、テレビジョンチューナ１１が対応するテレビジョン放送の方式としては特に限定されるべきものではないが、ここでは地上波放送若しくは衛星放送によるデジタル放送であることとする。
【００１０】
入出力処理部１２においては、ＤＶＤレコーダ１内におけるビデオ信号の入出力、及びＤＶＤレコーダ１と外部映像機器とのビデオ信号の入出力を司るための部位とされる。なお、入出力処理部１２におけるビデオ信号の入出力制御(経路制御)については後述する。
【００１１】
ビデオ信号処理部１３は、ＤＶＤ又はＨＤＤ１５にビデオ信号データを記録するときに対応して必要となる各種所要のビデオ信号処理、及びＤＶＤ又はＨＤＤ１５から読み出されたビデオ信号データを再生するために必要となる所要のビデオ信号処理を実行するものとして設けられる。このようなビデオ信号処理の代表的なものとしては、記録時におけるビデオ圧縮符号化と、再生時における、上記ビデオ圧縮符号化方式に対応する復調(伸長)処理となる。
また、この場合のビデオ信号処理部１３としては、いわゆるＯＳＤ（On Screen Display）機能を備えており、これに対応してＯＳＤ処理部１３ａを内部に備えることとしている。ＯＳＤ処理部１３ａは、必要に応じて、文字（記号等を含む）の画像や、所定形状の図柄の画像などを表現する画像データ(ＯＳＤ画像データ)を発生させ、このＯＳＤ画像データとしてのビデオ信号成分を、例えば主画像としてのビデオ信号の所定位置に合成するようにされる。このようなＯＳＤ機能としての信号処理が施されたビデオ信号の表示画像としては、主画像における所定位置に対してＯＳＤ画像データに対応する文字、図柄などの画像部分が重畳して見えることになる。このようなＯＳＤ機能による表示は、例えば一般には、放送局のチャンネルを示す表示などを始め、その機器の動作状況に応じて必要とされる情報をユーザに対して視覚的に提示するのに用いられる。
【００１２】
ＤＶＤドライブ１４は、リムーバブルの光学ディスク状記録媒体であるＤＶＤを装填可能とされている、この装填されたＤＶＤに対して、記録データとして転送されてきたビデオ信号の記録を行うことが可能とされている。また、装填されたＤＶＤに記録されているビデオ信号データを読み出すことが可能とされている。読み出されたビデオ信号データは、例えば制御部１７の制御により、後述するようにしてしかるべき機能部位に対して転送される。
なお、ＤＶＤドライブ１４に代えて、例えばBlu-Ray Disc(商標)などをはじめとするＤＶＤ以外の光学ディスク状記録媒体に対応するドライブを備えることとしてもよい。また、半導体メモリ素子を備えるリムーバブルの記録媒体に対応したドライブを備えることも考えられる。
【００１３】
ＨＤＤ１５は、周知のようにして、記録媒体として磁気ハードディスクを備えて構成され、現状では大容量を容易に確保できる記憶装置として広く普及している。この場合のＨＤＤ１５に対しても記録データとして転送されてきたビデオ信号を記録することが可能とされる。また、ＨＤＤ１５に記憶されているデータは、例えば制御部１７の制御により読み出しが行われて、機能部位に対して転送される。
なお、この場合のＨＤＤ１５は、主としては、上記のようにしてビデオ信号としてのデータを記憶保存するために設けられるものであるが、例えば、制御部１７（ＣＰＵ）が実行すべき各種のプログラムを記憶させておくこともできる。
【００１４】
ネットワーク通信部１６は、ＤＶＤレコーダ１をネットワークと接続するための機能部位とされる。本実施の形態では、Ethernet（登録商標）に対応するネットワーク通信機能が与えられたものとして構成されている。
【００１５】
制御部１７は、ＣＰＵ（Central Processing Unit）、ＲＡＭ（Random Access Memory）、ＲＯＭ（Read Only Memory）などにより構成されるマイクロコンピュータを有して成るもので、ＤＶＤレコーダ１に関する各種の制御処理を実行する。
また、この場合の制御部１７においては、例えば水晶系のクロックなどを利用した計時機能を備えており、この計時機能に対応するものとして時計部１７ａを示している。本実施の形態では、この時計部１７ａにより計時される現在時刻の情報を、後述するようにして積極的に利用する。
【００１６】
ＥＰＧメモリ１８は、ＥＰＧデータを記憶保持するために設けられる部位である。
ＥＰＧデータとは、電子番組表データともいわれるもので、基本的には、電子番組表といわれる番組表の画像を表示出力させるのにあたり、この番組表としての体裁内容の画像を生成するために利用されるデータである。そして、このＥＰＧデータは、テレビジョン放送を運営する側にて作成され、視聴者側に提供されるようになっているのが一般的である。
現状におけるＥＰＧデータの提供の仕方(方式)であるが、１つには、所定の方式により放送信号に重畳、合成させて、番組などの放送とともに送信することが行われている。また、またもう１つには、インターネット上にＥＰＧデータを提供するためのサーバを設けることとして、このサーバに対するＥＰＧデータの要求に応じて、ＥＰＧデータが送信（アップロード）されるようにするというシステムを構築することも行われている。
【００１７】
例えばテレビジョン放送にＥＰＧデータを重畳(合成)して送出してくる場合に対応しては、ＤＶＤレコーダ１は、ＥＰＧメモリ１８に記憶保持すべきＥＰＧデータを次のようにして取得する。
テレビジョン放送にＥＰＧデータを重畳する方式の１つとして、ビデオ信号の垂直ブランキング期間に対してＥＰＧデータを挿入することが知られている。このような方式は、ＶＢＩ（Vertical Blanking Information）などともいわれる。この方式に対応してＥＰＧデータを取得しようとする場合には、テレビジョンチューナ１１について、垂直ブランキング期間内に挿入されたＥＰＧデータを検出して抽出取得することが可能な構成を与えるようにされる。
また、テレビジョン放送がデジタルテレビジョン放送である場合には、例えばデータ放送や付加情報などとして、通常の放送番組のデータに多重化して放送として送出するという方式も知られている。この方式に対応する場合、テレビジョンチューナ１１としては、放送信号としてのパケットの中から、例えばパケット内容を示す識別子などを参照することで、ＥＰＧデータが格納されたパケットを検出し、このパケットからＥＰＧデータを抽出して取得するようにして構成すればよいことになる。
また、インターネット上のサーバからＥＰＧデータをダウンロードして取得しようとする場合には、制御部１７の制御に応じて、ネットワーク通信部１６の通信機能によりサーバにアクセスして、ＥＰＧデータを要求するようにされる。この要求に応じてサーバからＥＰＧデータが送信されてくるので、ＤＶＤレコーダ１では、ネットワーク通信部１６によりＥＰＧデータを受信取得するようにされる。
そして、ＤＶＤレコーダ１では、上記のようにして放送信号から抽出分離して取得したＥＰＧデータ、あるいはネットワーク経由で受信取得したＥＰＧデータを、制御部１７の制御によりＥＰＧメモリ１８に書き込んで記憶保持させるようにする。
なお、ＥＰＧメモリ１８の実際としては、マイクロコンピュータとしての構成を有する制御部１７において備えられるＲＡＭや不揮発性メモリ(例えばフラッシュメモリなど)などとされてよい。あるいは、制御部１７(ＣＰＵ)がアクセス可能なように接続された外部のメモリ（ＲＡＭ、若しくは不揮発性メモリ）の一部記憶領域を使用することとしてもよい。ＥＰＧメモリ１８として不揮発性メモリを採用することとすれば、ＤＶＤプレーヤ１への電源供給が停止されたとしても、ＥＰＧデータを保存しておくことが可能になる。
【００１８】
表示部１９は、例えばＤＶＤレコーダ１の本体においてユーザが視認可能なように表出して設けられる比較的小さい所定サイズのディスプレイ画面部を有して成るもので、システム制御部２４の制御により、例えばそのときのＤＶＤレコーダ１の動作状況などに対応して各種所要の内容の表示が行われる部位とされる。
操作部２０は、ＤＶＤレコーダ１に対して備えられる各種操作子と、この操作子に対する操作に応じた操作情報信号を発生して制御部１７に出力する操作信号出力部とを一括して示している。また、ＤＶＤレコーダ１が、リモートコントローラによって操作を行えるように構成されている場合には、このリモートコントローラと、本体側においてリモートコントローラから無線送信された操作コード信号を受信し、操作信号として制御部１７に出力する受信部なども、操作部２０に含められることになる。
なお、実際においては、ＤＶＤドライブ１４及びＨＤＤ１５のデバイスと他の機能部としてのデバイスとの間でのデータのやりとりは、現状であれば、ＩＤＥ(Integrated Drive Electronics)を使用することができる。
【００１９】
次に、上記の各部位を備えて構成されるＤＶＤレコーダ１において実行可能とされる主たる機能動作と、これに対応する各部位の動作について簡単に説明しておく。
先ず、ＤＶＤレコーダ１の最も主要とされる機能としては、いわゆる予約録画を含めたテレビジョン放送の録画機能とされる。
テレビジョン放送を録画するときには、テレビジョンチューナ１１にて受信選局して得られたとされるチャンネルのビデオ信号が入出力処理部１２に入力されることになる。この場合、入出力処理部１２では、入力されたビデオ信号がビデオ信号処理部１３に出力されるように信号経路を形成する。ビデオ信号処理部１３では、この入力されたビデオ信号について、ＨＤＤ又はＤＶＤへの記録のためのビデオ信号処理を実行するようにされる。例えば、少なくとも、記録メディアのフォーマットに対応する圧縮符号化処理と、記録符号化処理などを実行するようにされる。そして、ビデオ信号処理部１３にて処理を経た記録用データとしてのビデオ信号について、録画先としてＨＤＤが指定されているときには、例えばこの図の場合には、制御部１７を経由するようにして（例えば実際にはＩＤＥ経由で）、ＨＤＤ１５に転送してデータ書き込みを実行させ、録画先としてＤＶＤが指定されているときには、ＤＶＤドライブ１４に（ＩＤＥ経由で）転送して、装填されているＤＶＤに対するデータ書き込みを実行させる。このようにして、テレビジョンチューナにより受信選局した放送チャンネルのビデオ信号がＨＤＤあるいはＤＶＤに記録される。即ち、録画が行われることになる。
【００２０】
また、ＨＤＤ１５又はＤＶＤに対して録画可能なソースは、テレビジョンチューナ１１により受信、受信選局された放送チャンネルのビデオ信号のみではなく、外部機器から出力されたビデオソースも録画可能とされている。
例えば、入出力処理部１２は、ＤＶ端子２１を備えていることで、いわゆるＤＶ形式によるデジタルのビデオ信号を入力可能とされている。また、アナログビデオ入力端子２２を備えることで、所定形式によるアナログビデオ信号を入力可能とされている。例えばＤＶＤレコーダ１において、ユーザ操作などにより、録画ソースとしてＤＶ端子２１から入力されるデジタルビデオ信号が選択されている場合には、入出力処理部１２は、このＤＶ端子２１から入力されるデジタルビデオ信号をビデオ信号処理部１３に出力するようにされる。あるいは、録画ソースとしてアナログビデオ入力端子２２から入力されるアナログのビデオ信号が選択されている場合には、入出力処理部１２は、アナログビデオ入力端子２２から入力されるアナログのビデオ信号を、内部において備えるとされるＡ／Ｄコンバータによりデジタルビデオ信号に変換したうえでビデオ信号処理部１３に出力するようにされる。そして、以降においては、先の説明と同様にして、ビデオ信号処理部１３にて記録用のビデオ信号処理が実行されたうえで、ＨＤＤ又はＤＶＤに対する記録が行われる。
【００２１】
また、ＤＶＤレコーダ１は、ＤＶ端子２１、及びアナログビデオ出力端子２３を備えることで、デジタル形式及び、アナログ形式によるビデオ信号を出力することが可能とされている。また、この場合において、ＤＶＤレコーダ１から出力可能なビデオソースとしては、テレビジョンチューナ１１にて得られた放送チャンネルのビデオ信号、ＨＤＤ１５から読み出して再生したビデオ信号、及びＤＶＤドライブ１４から読み出して再生したビデオ信号の何れかとなるものであり、例えば実際においては、ユーザ操作に応じて選択されたビデオソースを、同じくユーザ操作に応じて選択された端子（ＤＶ端子２１、又はアナログビデオ出力端子２３）から出力するようにされる。
先ず、テレビジョンチューナ１１にて得られた放送チャンネルのビデオ信号を外部に出力する場合には、入出力処理部１２が、入力した放送チャンネルのビデオ信号を、ユーザ操作などによる指示に応じて、ＤＶ端子２１とアナログビデオ出力端子２３の少なくとも何れか一方から出力するようにされる。なお、この場合においてテレビジョンチューナ１１が対応する放送はデジタル放送とされており、従って、放送チャンネルのビデオ信号はデジタル形式とされる。そこで、アナログビデオ入力端子２２から出力させる場合には、入出力処理部１２において、ビデオ信号をアナログ形式に変換するようにされる。
また、ＤＶＤに記録されているビデオソースを再生してビデオ信号として出力する場合には、例えば制御部１７の制御により、ＤＶＤ１４に装填されたＤＶＤから、目的とするビデオソースのビデオ信号データを読み出して、制御部１７を経由するようにして、ビデオ信号処理部１３に出力するようにされる。同様に、ＨＤＤ１５に記録されているビデオソースを再生してビデオ信号として出力する場合には、ＨＤＤ１５から、目的とするビデオソースのビデオ信号データを読み出して、制御部１７を経由するようにして、ビデオ信号処理部１３に出力する。そして、ビデオ信号処理部１３は、このようにしてＤＶＤ又はＨＤＤから読み出されたビデオ信号データについて、記録符号化や圧縮符号化に対する復調処理などを始めとする所要の再生信号処理を実行して、所定形式のデジタルビデオ信号として入出力処理部１２に出力するようにされる。入出力処理部１２では、入力されたビデオ信号について、上記の放送チャンネルのビデオ信号と同様にして、ＤＶ端子２１とアナログビデオ出力端子２３の少なくとも何れか一方から出力するように動作する。
このようにして、本実施の形態では、ＤＶ形式または所定のアナログ形式によりビデオ信号を出力するようにされている。そして、ＤＶＤレコーダ１側のＤＶ端子２１やアナログビデオ出力端子２３を、外部ディスプレイ装置のＤＶ端子やアナログビデオ入力端子などと接続することで、外部ディスプレイ装置により、ＤＶＤレコーダ１のテレビジョンチューナ１１にて受信選局中とされている放送チャンネルのビデオ信号、ＤＶＤから再生したビデオソースのビデオ信号、あるいはＨＤＤ１５から再生したビデオソースのビデオ信号を画像として表示させることが可能とされる。ここでは、ＤＶＤプレーヤ１のＤＶ端子２１及びアナログビデオ出力端子２３などからビデオ信号（映像信号）を出力させるということは、外部にて画像として表示可能な経路にビデオ信号を出力するということを意味する。すると、ＤＶ端子２１及びアナログビデオ出力端子２３へのビデオ信号出力の動作は、最終的には映像信号を画像として表示出力させる動作であると捉えることができる。このことを以て、以降においては、ＤＶ端子２１及びアナログビデオ出力端子２３へのビデオ信号出力「表示出力」ということにする。
【００２２】
また、本実施の形態のＤＶＤレコーダ１の場合のようにして、ＨＤＤとＤＶＤの２種類のメディアを扱う構成であれば、ＤＶＤレコーダ１内部において、ＨＤＤ１５からＤＶＤ、また、ＤＶＤからＨＤＤ１５へのビデオ信号データの記録を行うことが可能とされる。このためには、例えばＨＤＤ１５からＤＶＤへの記録の場合であれば、制御部１７の制御により、記録対象のビデオ信号データの読み出しを実行して、必要があれば、ビデオ信号処理部１３により記録先のＤＶＤに対応した記録対応処理を実行したうえで、ＤＶＤドライブ１４に対してビデオ信号データの転送を行って、ＤＶＤへのデータ記録を実行させるようにすればよい。
【００２３】
また、ＤＶＤレコーダ１では、先の説明のようにして、ＥＰＧデータを取得してＥＰＧメモリ１８にて保持させることとしているが、これは、ＥＰＧデータ本来の機能に応じて、ＤＶＤレコーダ１により電子番組表を表示出力させることを主目的として行っているものである。
例えば操作部２０に対して、電子番組表を表示出力させるための操作が行われたとする。この操作に応じて制御部１７は、電子番組表としてのビデオ信号を生成してビデオ信号出力端子（ＤＶ端子２１、アナログビデオ出力端子２３）から出力させるための制御処理を実行する。つまり、制御部１７はＥＰＧメモリ１８にアクセスしてＥＰＧデータを読み込み、この読み込んだＥＰＧデータの内容に基づいて、ビデオ信号処理部１３におけるＯＳＤ処理部１３ａを制御し、電子番組表としての画像内容を有する画像データを生成させ、これをビデオ信号として、入出力処理部１２からビデオ信号出力端子に出力させるようにする。これにより、例えばビデオ信号出力端子から出力されるビデオ信号を入力して表示させている外部のディスプレイ装置の画面部には、電子番組表が表示されることになる。
例えばユーザは、このようにして表示される電子番組表を視ることで、例えば現在時刻以降において放送予定の番組編成を知ることができる。また、一般にこのような電子番組表はＧＵＩ(Graphical User Interface)画面とされており、電子番組表に対する操作により、例えば指定した番組、チャンネルの放送を受信選局して、そのビデオ信号を出力させることができる。特に、本実施の形態のＤＶＤプレーヤ１の場合には、電子番組表を利用して予約録画したい番組を指定するというような簡単な操作によって、予約録画設定を行うことが可能とされる。
【００２４】
そして、上記のようにして構成される本実施の形態のＤＶＤプレーヤ１では、その特徴的な動作として、テレビジョンチューナ１１により受信選局した放送チャンネルのビデオ信号を、ビデオ信号出力端子（ＤＶ端子２１、アナログビデオ出力端子２３）から出力（即ち表示出力）させているときに、このテレビジョンチューナ１１により受信選局中にあるとされる放送チャンネルにおいて放送中にあるとされる番組（出力番組）についての進行状況を、このとき外部に表示出力させている画像に重畳させて表示するようにされる。つまり、現在において選局中にあるとされるチャンネルで放送している番組の画像を主画像(背景画像)として、これに対して、その番組についての進行状況が視覚的に把握可能なようにされた画像である進行状況画像を重畳表示させるものである。以下、この点についての説明を行っていく。
【００２５】
先ず、図２により、本実施の形態としての番組進行状況画像についての表示態様例を、そのための操作手順例ともに説明する。
例えば、ここで、ＤＶＤプレーヤ１のユーザが、ある日、テレビジョンチューナ１１により、「ジャパンテレビ」という放送局を選局させたうえで、これを外部に表示出力させて視聴しているものとする。このときの時刻は、２１時００分を少しほど過ぎた頃（２１時３０分より前）であるとして、ジャパンテレビでは、このときに番組開始時刻が２１時００分で、番組終了時刻が２３時００分とされる「近所のトコロ」というタイトルの番組を放送しているものとする。従って、このときに外部に表示出力されていることで、例えば外部ディスプレイ装置などの表示画面３１にて表示されている画像は、図２（ａ）に示されるように、番組「近所のトコロ」の画像であることになる。
【００２６】
そして、例えば図２（ａ）に示されるようにして表示されていた番組「近所のトコロ」を視聴していて、ちょうど２１時３０分の時刻になったときに、ユーザが、この番組「近所のトコロ」についての時間的な進行状況を知りたいと思い、番組の進行状況画像を表示させるための操作を行ったとする。すると、図２（ｂ）に示すようにして、これまで表示されていた番組「近所のトコロ」の画像上における例えば下側において、番組の進行状況を示す進行状況指示画像３２が重畳して表示される。
【００２７】
この進行状況指示画像３２は、いわゆるプログレスバー形式により進行状況を示すものとされている。つまり、この場合には、進行状況指示画像３２として先ず長手方向が水平となるバー枠３３が配置され、このバー枠３３内にバー３４が配置される。この場合、バー３４の始端は、バー枠３３の左端部とされ、終端は、バー枠３３の右端部とされる。
そして、この場合には、バー枠３３全体の水平方向の長さａを、番組「近所のトコロ」の放送時間帯に対応させる。つまり、バー枠３３の左端部を番組開始時間（２１時００分）、右端部を番組終了時間（２３時００分）としてバー枠３３全体としては２時間を示す。そのうえで、長さａを有するバー枠３３としての全体領域において表示されるバー３４の長さａとしての領域の比率（割合）により、番組開始時刻から現在時刻までの経過時間が、番組「近所のトコロ」の放送時間帯において占めるとされる割合を示すようにされる。即ち、番組「近所のトコロ」についての進行状況として、現時刻においては放送時間的に番組のどこまで進行したのかということを示すようにされる。
図２（ｂ）に対応する状況の場合、番組「近所のトコロ」は、２１：００分から２３時００分までの２時間の放送時間帯により放送するものとされているうえで、現在時刻が２１時３０分とされているのであるから、番組開始時刻から現在時刻までの経過時間長としては３０分であることになる。従って、このときの進行状況は、番組「近所のトコロ」の全放送時間帯である２時間に対して４分の１であることになるが、図２（ｂ）におけるプログレスバー形式の進行状況指示画像３２については、このことを反映させるために、バー３４について、ｂ＝ａ×(1/4)で表される長さｂによる表示を行わせるようにされる。つまり、バー３４は、バー枠３３において、その左端（始端）から１／４の長さを占有して右に延びるようにして配置表示される。
【００２８】
そして、上記図２（ｂ）に示されるようにして番組「近所のトコロ」の画像とともに進行状況指示画像３２を表示出力させた状態を継続させていたとすると、進行状況指示画像３２におけるバー３４の長さｂは、時間経過により現在時刻も進行していくのに応じて、長くなっていくように変化して表示されることになる。例えば、図２（ｂ）の状態からさらに１５分が経過して２１時４５分に至ったとされると、このときの進行状況指示画像３２としては、バー３４は、バー枠３３における3/8（＝45/120）を占有する分の長さｂに延長して表示されていることになる。
【００２９】
また、表示画面３１に表示された進行状況指示画像３２が消去されるトリガとしては、いくつか考えることができる。１つには、操作部２０に対する操作として、進行状況指示画像３２を消去するための操作が行われた場合を考えることができる。また、進行状況指示画像３２の表示が開始されてから、例えば数秒程度の所定時間長を経過すると自動的に消去されるようにすることが考えられる。また、チャンネル切り換えとの関係については、チャンネルが切り換えられても、例えば上記の何れかのトリガが生じない限り進行状況指示画像３２の表示を継続させるようにする、若しくはチャンネル切り換えが行われたときには、これまでの進行状況指示画像３２の表示を消去するようにすることの何れかとすることができる。
本実施の形態における進行状況指示画像３２の消去のトリガとしては、消去のための操作が行われるまで、チャンネル切り換えの有無にかかわらず、表示を継続させることとする。
【００３０】
上記の進行状況指示画像消去のためのトリガ規則によれば、進行状況指示画像３２を表示させた状態でチャンネル切り換えが行われた場合には、進行状況指示画像３２は消去されることなく継続して表示されることになる。この場合の表示態様例を、図２（ｂ）から図２（ｃ）への遷移により示す。
ここで、図２（ｂ）に示したようにして、現在時刻２１時３０分において、番組「近所のトコロ」の画像とともに進行状況指示画像３２を表示出力させているときに、ユーザがチャンネル切り換えのための操作を行ったとする。この操作に応じて、受信チャンネルとしての放送局はＴＳＢテレビに変更され、これに伴って、表示出力される番組の画像は、図２（ｃ）に示すようにして、ＴＳＢテレビにより、開始時刻２１時００分〜終了時刻２２時００分までの１時間の放送時間帯により放送される、「金曜日の夫たちへ」のものに変わることになる。
そして、このようにして表示出力される番組が変わることに応じて、ともに表示されている進行状況指示画像３２としても、このときに表示出力中にあるとされる、番組「金曜日の夫たちへ」についての進行状況を示す内容に切り換えられることになる。
即ち、このときには、番組「金曜日の夫たちへ」の開始時刻、終了時刻がそれぞれ２１時００分、２２時００分とされ、現在時刻が２１時３０分とされている。これに応じて、進行状況指示画像３２におけるバー３４は、ｂ＝ａ×(1/2)により示される長さｂにより表示されるようにして変化することになる。
【００３１】
このようにして、本実施の形態では、現在テレビジョンチューナ１１により受信選局して、表示出力しているチャンネル(放送局)の画像を、現在、その放送局により放送中にあるとされる番組の画像として扱うこととしたうえで、この現在表示出力中にあるとされる番組の画像に重畳させて、この表示出力中の番組についての進行状況を表示させることとしている。このような表示が行われることで、ユーザは、番組画像を中断無く視ながら、その進行状況も把握することができる。
例えば、先の特許文献として挙げたように、電子番組表上で現在放送中にあるとされる番組の進行状況を何らかの態様で示すようした構成を採ることとした場合、番組を視聴中にユーザが進行状況を把握するときには、例えば番組の画像表示を中断させて番組表表示に切り換える必要がある。従って、電子番組表を表示させている期間中は、ユーザは番組画像をみることができなくなり、番組を見逃したくない場合には、進行状況を把握することをあきらめなければならず、ユーザにとっては不便であった。本実施の形態としては、この点が解消されていることになる。
なお、電子番組表を、番組の表示画像上に対して或る程度の透明度を設定して重畳表示させることも行われているのであるが、この場合にも、番組の画像は電子番組表の画像にじゃまされて明確に視ることが難しく、上記とほぼ同様の問題は残ることになる。
【００３２】
また、現状にあっても、ビデオコンテンツについての進行状況を示す表示を行うことのできるビデオ録画機器が既に知られてはいる。但し、このようなビデオ録画機器において実行可能とされているのは、例えば番組録画などにより所定のメディアに記憶済とされたビデオコンテンツを再生して表示出力させているときに、このビデオコンテンツについての再生の進行状況をともに表示出力させるという動作である。つまり、この場合は、再生出力中にあるとされるビデオコンテンツの総記録時間における、現在の再生時間を示すようにして表示を行うものであって、このために必要なビデオコンテンツの総記録時間は、メディアへの記録が完了した時点で、既にメディアにおいて確保されていることになる。
これに対して、本実施の形態の場合は、現在においてリアルタイムに放送しているとされる番組についての開始時刻と終了時刻の情報を取得する必要がある。しかし、これらの情報は、例えば上記のようにしてメディアなどから読み出して取得できるものではない。そこで、本実施の形態としてはＥＰＧデータを利用することとしているものである。このようにして、本実施の形態は、これまでのビデオ録画機器において再生している録画コンテンツについての進行状況を表示出力させるのとは異なる技術構成により必要な情報を取得して進行状況を把握し、進行状況指示画像を表示出力させようとしているものである。
また、例えば、ビデオ録画機器により録画コンテンツを再生しているときに、その進行状況を表示出力させる操作を頻繁に使用するようなユーザによっては、このような操作に慣れてしまって、つい、テレビジョン放送の番組を視聴しているときにも、このような進行状況を表示させる操作をしようと思ってしまい、なんとなく不便を感じるようなこともあると考えられる。本実施の形態のＤＶＤプレーヤ１は、例えばこのようなユーザが感じる不満を解消することが可能である。
【００３３】
次に、上記図２により説明した本実施の形態としての進行状況指示画像３２の表示を実現するための技術構成例について説明していくこととする。
これまでの説明からも理解されることであるが、進行状況指示画像３２におけるバー３４の長さを決定するのは、表示出力中の番組の開始時刻と終了時刻により決まる放送時間帯における、開始時刻から現在時刻までの経過時間長の占有率となる。従って、進行状況指示画像３２の正常表示には、時間的な情報として、上記の現在時刻の情報と、表示出力中の番組の開始時刻及び終了時刻の情報が必要であるということになる。
現在時刻の情報は、制御部１７における時計部１７ａにより計時される現在時刻の値を取り込んで取得すればよい。このようにして取得される現在時刻情報は、例えば図５に示される。この図では、例えば先に図２（ｂ）、図２（ｃ）などに示した２１時３０分の時刻において得られる現在時刻情報の内容例を示しており、この場合には、現在時刻情報は、日付と、時間、分により表現されるものとしており、秒単位は切り捨てている。もちろん、現在時刻情報として秒単位を含めることとしてもよいのであるが、この場合の現在時刻情報は、図２（ｂ）（ｃ）などに示す進行状況指示画像３２のために利用されるものであり、さほど精密な時間情報は特に必要がない。つまり、秒単位でバー３４の長さを変更していくように表示させるとしても、通常考えられる表示画面サイズでは、秒単位の変化は視覚的に認識することが難しいと思われる。そこで、ここでは秒単位を省略しているものである。
そして、上記の現在時刻情報に対して、表示出力中の番組についての開始時刻、終了時刻の情報は、ＥＰＧメモリ１８に保持されているＥＰＧデータから取得するようにされる。
前述もしたようにＥＰＧデータは、電子番組表を表示させるのに必要な情報を有して成るものである。例えば、ＥＰＧデータの一部分の具体的内容例として、図２（ａ）（ｂ）にて表示出力中にあるとされている番組「近所のトコロ」、「金曜日の夫たち」に対応するものを、それぞれ図６（ａ）（ｂ）に示す。
これらの図６（ａ）（ｂ）に示すようにして、ＥＰＧデータにおいて、１番組に対応する情報項目としては、放送局、放送日、開始時刻、終了時刻、ジャンル、タイトル、詳細情報、出演者などとされる。
図６（ａ）の場合には、放送局は「ジャパンテレビ」を示し、放送日は２００６年８月２５日を示し、開始時刻は２１時００分を示し、終了時刻は２３時００分を示す。また、ジャンルはその番組としてのコンテンツのジャンルを示すものとされ、ここでは「アニメ（アニメーション）」を示すようにされる。また、タイトルは番組名を指すもので、この場合には「近所のトコロ」となる。また、具体的情報内容例は省略しているが、詳細情報の項目には、番組解説などとしての内容を記述したデータが格納され、出演者の項目には、その番組に出演しているとされる出演者の氏名などを示すデータが格納される。図６（ｂ）については、ここでの記載による説明は省略するが、番組「金曜日の夫たちへ」に関連して、例えば上記図６（ａ）と同様の項目においてしかるべき内容のデータ、情報が格納される。
このようにして、ＥＰＧデータの実体的構造としては、上記図６（ａ）（ｂ）に示されるような所定項目の集合により形成される番組単位の情報が、放送予定の番組ごとにさらに集合して形成されるものとされる。そして、例えばこのような情報項目を利用して、電子番組表が作成されて表示出力される。そのうえ、本実施の形態としては、このＥＰＧデータにおける番組ごとの情報項目として必須的に存在する、その番組の開始時刻と終了時刻を、進行状況指示画像３２のための開始時刻、終了時刻の情報として利用するようにされる。
【００３４】
次に、本実施の形態のＤＶＤプレーヤ１により、ＥＰＧデータを取得するための手順例について、図３を参照して説明する。なお、この図に示す手順例は、制御部１７が備えるとされるＣＰＵが、同じ制御部１７に備えられるとされるＲＯＭ、あるいはＨＤＤ１５に記憶されているプログラムを実行して実現される処理であるとみることができる。この点については、後述する図４のフローチャートについても同様のことがいえる。
【００３５】
ＤＶＤプレーヤ１の動作中においては、図３に示される処理手順を所定タイミングで繰り返し実行する。
この図３において、先ず、ステップＳ１０１では、ＥＰＧメモリ１８において正常な形式内容でＥＰＧデータが保持されているか否かについて判定するようにしている。例えば、何らかの理由で、ＥＰＧメモリ１８にて保持されているＥＰＧデータが存在しない、あるいは、ＥＰＧデータが保持されているとしても、何らかの理由で少なくとも一部が破壊されているなどして正常ではないような場合のあることは可能性として否定できない。またさらには、現在表示出力中にあるとされる番組が臨時に延長になるなどの理由で、現在時刻が、ＥＰＧデータにおける現在表示出力中にあるとされる番組についての開始時刻から終了時刻までの時間帯から外れているような状況となることも考えられる。そこで、ステップＳ１０１においては、この点についてのチェックを行うようにされる。
ステップＳ１０１にてＥＰＧデータが正常に保持されていないとして、否定の判別結果が得られた場合には、ステップＳ１０２としてのＥＰＧデータの新規取得のための処理に移行する。
【００３６】
ステップＳ１０２によりＥＰＧデータを新規に取得するのにあたっては、先に図１にても説明したように、放送信号に対して所定方式により重畳、合成されて送信されてくるＥＰＧデータをテレビジョンチューナ１１により抽出取得させ、これをＥＰＧメモリ１８に転送して記憶保持させるという制御を制御部１７が実行するようにされる。あるいは、制御部１７によりネットワーク通信部１６を制御して、インターネット上でＥＰＧデータをアップロードしているサーバにアクセスしてＥＰＧデータを要求する。この要求に応答して、サーバからＤＶＤプレーヤ１のネットワーク通信部１６に対してはＥＰＧデータが返送されてくるので、制御部１７は、ネットワーク通信部１６にて受信取得されたＥＰＧデータをＥＰＧメモリ１８に転送して記憶保持させるようにする。
【００３７】
また、先のステップＳ１０１にて肯定の判別結果が得られた場合には、ステップＳ１０３に進む。
ステップＳ１０３においては、現在においてＥＰＧメモリ１８に保持されているＥＰＧデータが最新のものであるか否かについての判別を行う。
このためには、例えば、ＥＰＧデータとしての構造内に付加情報として含まれる、ＥＰＧデータの新しさを示す情報（バージョン情報）を参照するようにされる。このようなバージョン情報は、例えば、ＥＰＧデータの内容が更新されるごとに、その値がインクリメントされていくようにされる。そこで、例えば先ず、現在において放送とともに送信されてくるＥＰＧデータあるいはサーバにアップロードしているとされている現在提供中のＥＰＧデータから、バージョン情報のみを抽出取得し、このバージョン情報と、現在においてＥＰＧメモリ１８にて保持されているＥＰＧデータのバージョン情報とを比較して、どちらが新しいものであるのかを判定するようにされる。そして、ＥＰＧメモリ１８にて保持しているＥＰＧデータのバージョン情報が、上記提供中のＥＰＧデータのバージョン情報と同じ、若しくはより大きいことが判定されたのであれば、ＥＰＧメモリ１８に保持されているＥＰＧデータは最新のものであるとして、ステップＳ１０３にて肯定の判別結果が得られることになる。この場合には、例えば、特に処理を実行することなくこの図に示すルーチンを一旦抜けたうえで、所定のタイミングで、ステップＳ１０１からの手順を繰り返すようにされる。
一方、ＥＰＧメモリ１８にて保持しているＥＰＧデータのバージョン情報が、現在提供中のＥＰＧデータのバージョン情報よりも小さいことが判定されると、ステップＳ１０３では、ＥＰＧメモリ１８に保持されているＥＰＧデータは最新のものではないとして否定の判別結果が得られる。この場合には、ステップＳ１０３により、新規にＥＰＧデータを取得して、ＥＰＧメモリ１８に保持するＥＰＧデータの内容を書き換えることで、最新の内容とするようにされる。そのうえで、一旦この図に示す処理を抜けたうえで、ステップＳ１０１に戻るようにされる。
【００３８】
続いて、図４のフローチャートにより、進行状況指示画像３２を表示させるために制御部１７が実行するものとされる制御処理の手順例について説明する。
先ず、ステップＳ２０１においては、操作部２０に対する操作として、進行状況指示画像３２を表示開始させるための指示操作が行われるのを待機しており、ここで進行状況指示画像３２の表示開始を指示する操作が行われたことを判別すると、ステップＳ２０２以降による、進行状況指示画像３２を表示出力させるための手順に進むことになる。
【００３９】
ステップＳ２０２では、ＥＰＧメモリ１８に保持されているＥＰＧデータから、現在においてテレビジョンチューナ１１にて受信選局されて表示出力中にあるとされる番組についての開始時刻と終了時刻の情報を読み出して取得する。
また、これとともに、次のステップＳ２０３により、時計部１７ａから現在時刻情報を取得するようにされる。この現在時刻情報が、例えば図５に例示した構造によるものとされる。
【００４０】
次に制御部１７は、ステップＳ２０４の処理として、上記ステップＳ２０２により取得した表示出力中の番組の開始時刻、終了時刻の情報と、ステップＳ２０３により取得した現在時刻の情報を利用して、表示出力中の番組の進行状況として、この番組の放送時間帯（開始時刻〜終了時刻）に対して、開始時刻から現在時刻までの時間経過が占有する割合（占有率）を求めるようにされる。
このためには、例えば、上記の占有率をRateOP、現在時刻をTpre、開始時刻をTstt、終了時刻をTendとして、
RateOP＝(Tpre−Tstt)/(Tend−Tstt)・・・(式１)
により求めるようにされる。つまり、番組の開始時刻から現在時刻までの経過時間長(Tpre−Tstt)を放送時間帯としての時間長(Tend−Tstt)により除算するものである。
例えば実際例として、図２（ｂ）に示した番組「近所のトコロ」の場合であれば、現在時刻Tpreは21時30分、開始時刻Tsttは21時00分、終了時刻Tendは23時00分となるが、これを（式１）に代入すると、Tpre−Tstt＝30(minute)、Tend−Tstt＝120(minute)となり、従って、RateOP＝(30/120)＝1/4＝0.25となる。つまり、時間的な番組の進行状況は、２５％であるものとしてステップＳ２０４により求められることになる。
なお、確認のために述べておくと、上記（式１）により得られるRateOPとしては、必ずしも有効桁数の範囲内で割り切れる値になるとは限らないが、この場合には、所定の規則に従って求めた近似値をRateOPとすればよい。
【００４１】
そして、次のステップＳ２０５においては、例えば図２（ｂ）などに示した進行状況指示画像３２を、番組の表示画像に重畳して表示出力させるための処理を実行する。
このためには、先ず、進行状況指示画像３２としてのオンスクリーン画像データを作成するのであるが、このときに、バー枠３３としての画像パーツに対して重ねて表示させる画像パーツであるバー３４の長さ(即ち進行状況)について、上記ステップＳ２０４により求め占有率RateOPの値を利用して、下記のようにして求めるようにされる。
ここでは先ず、バー枠３３の画像の長手方向(水平方向)の長さａに対応する総セグメント数をＮとする。ここでのセグメントとは、バー枠３３内にてバー３４の長さを可変するときの単位区間をいう。従って、総セグメント数Ｎは、この単位区間によりバー枠３３を分割して得られる数を示すものであり、換言すれば、進行状況としてのバー枠３３の長さａに対するバー３４の長さの割合を表現する分解能を示す。例えば、Ｎ＝１００であるとすれば、バー枠３４の画像の長手方向は１００のセグメントの配列により形成されているものとしてみることができる。
そして、バー枠３３内に表示させるバー３４の画像パーツの長さについては、バー枠３３においてバー３４がRateOPの値に応じて占めるとされるセグメント数(占有セグメント数)により求めるようにされる。つまり、占有セグメント数をSegとして、上記の占有率RateOP、総セグメント数Ｎを用いて、
Seg＝RateOP×Ｎ・・・(式２)
により表される式により求める。なお、この占有セグメント数Segについても、占有率RateOPと同様にして、近似値をとるようにされてよいものである。
そして、制御部１７としては、上記式２により求められた占有セグメント数Segに応じて形成したバー３４の画像パーツデータを生成し、これをバー枠３３としての画像パーツに対して重ねた画像のデータを生成するようにされる。そして、このようにして形成された進行状況指示画像３２の画像が、番組画像を背景として例えば図２（ｂ）により示したような位置にて配置されるようにして、テレビジョンチューナ１１から出力されるビデオ信号に対して進行状況指示画像３２の画像データ（ビデオ信号成分）を合成するようにされる。
先に図１によっても説明したように、上記の進行状況指示画像３２としての画内容を有する画像データの生成、及び、この画像データをテレビジョンチューナ１１から出力されるビデオ信号に合成する処理は、ビデオ信号処理部１３におけるＯＳＤ処理部１３ａが実行する。制御部１７は、上記のグラフィック処理、ビデオ信号処理がＯＳＤ処理部１３ａにて実行されるようにするための制御を行う。このようなステップＳ２０５としての制御、処理によって、例えば図２（ｂ）などに示したように、表示出力中の番組画像に重畳して、その番組に対応する進行状況指示画像３２が表示されることになる。
【００４２】
そして、ステップＳ２０６においては、チャンネル切り換えの操作が行われるのを待機しており、ここでチャンネル切り換え操作がないと判別されたときには、さらにステップＳ２０８により、これまで表示させてきた進行状況指示画像３２を消去するための指示操作が行われるのを待機するようにされている。このステップＳ２０８により進行状況指示画像３２の消去を指示する操作が行われないと判別されたときには、ステップＳ２０２に戻るようにされる。つまり、一旦、進行状況指示画像３２を表示開始して以降、チャンネル切り換え操作及び進行状況指示画像の消去操作が行われない限りは、ステップＳ２０２〜Ｓ２０５の手順を繰り返すようにされる。この過程において、時間が進行、経過していくのに応じてステップＳ２０３にて取得される現在時刻も変わっていくことになる。そして、この現在時刻に基づいて、改めてステップＳ２０４により進行状況（RateOP）が算出され、ステップＳ２０５にて進行状況指示画像３２が生成されて合成表示される。つまり、時間進行に応じて、進行状況指示画像３２のバー３４が延びていくようにして表示させることが実現されているものである。
【００４３】
また、上記のようにして現在時刻の進行に応じて進行状況指示画像３２のバー３４の長さを変更して表示させるのにあたっては、ステップＳ２０３からＳ２０５までの手順を繰り返すこととしているのではなく、ステップＳ２０２からＳ２０５までの手順を繰り返すこととしている。つまり、表示出力中の番組の開始時刻、終了時刻についても毎回取得することとしているが、これは次のような意味がある。
例えばスポーツ中継の番組などでその放送途中に放送時間が延長される（終了時刻が引き延ばされる）場合をはじめとして、番組の放送時間帯が当初の予定から変更される場合がある。ＥＰＧデータの提供側の対応にもよるが、ＥＰＧデータであれば、上記のような放送時間帯の変更を反映させるようにしてその内容を更新して提供することが可能である。本実施の形態では、先に図２に示したＥＰＧデータの取得手順により、提供側でＥＰＧデータを更新したときには、この更新されたＥＰＧデータを迅速に取得してＥＰＧメモリ１８に保持することが可能とされている。そして、ステップＳ２０２による開始時刻、終了時刻の情報の取得元は、上記のようにして随時更新されるようにしてＥＰＧメモリ１８に保持されているＥＰＧデータである。
従って、本実施の形態としては、進行状況指示画像３２の表示継続にあたってステップＳ２０２の手順を含めるようにしていることで、ＥＰＧデータの提供側が放送時間帯の変更に対応してＥＰＧデータを即座に更新して提供するようにしていさえすれば、同じ番組についての進行状況指示画像３２であっても、放送時間帯（終了時刻）の変更が反映された長さのバー３４の表示を行えることになる。このような機能は、例えばユーザにとってみれば、放送時間帯の変更にかかわらず正確な進行状況が示され、また、放送時間帯の変更のあったことを視覚的に確認できることにもなるために、有用となるものである。
【００４４】
そして、ステップＳ２０６において、チャンネル切り換え操作が行われたとして肯定の判別結果が得られた場合には、ステップＳ２０７により、チャンネル切り換えのための制御を実行する。つまり、テレビジョンチューナ１１により、指定されたチャンネル（放送局）が選局されるように制御を実行する。これにより、先ず、表示出力される番組の画像は、ステップＳ２０７により切り換えられた後のチャンネルにて、そのときに放送している番組のものに切り換わることになる。そして、ステップＳ２０７の手順を実行した後は、ステップＳ２０２の手順に戻るようにされる。
【００４５】
上記ステップＳ２０７の処理を経て、最初に実行されるステップＳ２０２では、改めて、ステップＳ２０７により切り換わった後のチャンネルにて放送中にあるとされる番組についての開始時刻と、終了時刻の情報を取得するようにされ、そのうえで、以降のステップＳ２０３、Ｓ２０４、Ｓ２０５の手順を実行するようにされる。この結果、表示画面３１に表示される画像としては、ユーザ操作に応じて切り換えられたチャンネルにより放送している画像とともに、そのチャンネルで現在放送しているとされる番組の放送時間帯と現在時刻とにより決まるバー３４の長さの進行状況指示画像３２が表示される内容に切り換わることになる。つまり、図２（ｂ）から図２（ｃ）への遷移として示したような表示の切り換えが実現されることになる。
【００４６】
そして、或るときに、進行状況指示画像の消去を指示する操作の行われたことがステップＳ２０８にて判別されると、ステップＳ２０９により、これまで表示させていた進行状況指示画像３２を消去するようにされる。このためには、例えばＯＳＤ処理部１３ａにおいてこれまで実行させていた進行状況指示画像としてのオンスクリーン画像データの生成と、テレビジョンチューナ１１から出力されるビデオ信号に対する進行状況指示画像のデータの合成処理を停止させるようにする。
【００４７】
なお、上記図４に示す処理、及び先の図３に示した処理を制御部１７（ＣＰＵ）に実行させるプログラムは、例えば、制御部１７が備えるとされるＲＯＭ（あるいはフラッシュメモリなどの不揮発性メモリとされてもよい）、あるいはＨＤＤ１５などの記憶装置に対して製造時などに書き込んで記憶させるほか、リムーバブルの記憶媒体に記憶させておいたうえで、この記憶媒体からインストールさせるようにしてＤＶＤプレーヤ１における記憶装置に記憶させることが考えられる。また、ネットワーク上のサーバなどにおける記憶装置に記憶させておいたうえで、例えばネットワーク通信部１６の機能機能を利用してサーバからダウンロードして取得し、所定の記憶装置にインストールさせることも考えられる。
【００４８】
ところで、これまでの説明にあっては、進行状況指示画像３２の態様としては、プログレスバー形式によるものとしていた。これは、グラフ的なデザインとすることで、進行状況を視覚的に把握させるのにあたって、より感覚的なものとなるようにしているものであるといえる。しかしながら、本願発明の概念の下では、例えば現在表示出力中（受信選局中）にあるとされる放送番組の時間的進行状況が視覚的に把握できるようにして表示されるのであれば、進行状況指示画像としての表示態様は特に限定されるべきものではない。
そこで、進行状況指示画像についての他の表示態様例として、進行状況としての、番組放送時間帯における開始時刻から現在時刻までの経過時間長の占有率を、文字数字により表示させる例を、図７に示しておく。ユーザによっては、この図７のようにして、進行状況指示画像が文字数字により表示されることのほうが、例えば番組の進行状況がより正確であると感じられるなどの理由で、好ましいと捉える場合も多いと考えられる。
【００４９】
ここで、図７（ａ）（ｂ）は、それぞれ、先の図２（ｂ）（ｃ）と同じ番組を表示出力させ、同じ現在時刻（２１時３０分）であることを想定している。従って、図７（ａ）の場合には、進行状況としては、番組放送時間帯に対して１／４（25％）であることになり、図７（ｂ）の場合には、番組放送時間帯に対して１／２（50％）であることになる。これに対応して、図７（ａ）の場合には、進行状況指示画像３２Ａとして、例えば「進行状況２５％」のようにして表示させることで、文字数字により、番組の進行状況は現時点で２５％であることがユーザに認識されるようにしている。同様にして、図７（ｂ）の場合には、進行状況指示画像３２Ａとして、「進行状況５０％」のようにして表示させて、進行状況は５０％であることが認識されるようにしているものである。
なお、上記のようにして、進行状況指示画像の内容を文字数字により表示させるための処理としては、図４のステップＳ２０５について、先のステップＳ２０４にて求められた占有率RateOPの値を示す数字文字などをはじめとする所要の使用文字などのオンスクリーン画像データを生成して、テレビジョンチューナ１１から出力されるビデオ信号に合成するという処理が実行されるように、ＯＳＤ処理部１３ａを制御するように構成すればよい。
【００５０】
ここで、さらに本実施の形態としての進行状況指示画像（３２、３２Ａ）についての他の表示態様例について挙げておくこととする。
先ず、図２（ｂ）（ｃ）に示したグラフ表示的な進行状況指示画像３２に関しては、例えば、図２（ｂ）（ｃ）などに示されるバー枠３３の始端（左端）と終端（右端）のそれぞれの位置に対応させて、放送開始時刻と終了時刻を文字数字により表示させることが考えられる。また、さらには、バー３４の先端の位置に対応させて現在時刻も文字数字により表示させることが考えられる。
また、進行状況指示画像３２を形成するものとしては、バー枠３３とバー３４であるが、これらの色彩、模様、また、外枠等の形状など、デザイン的なことに関しては、適宜変更されて構わない。例えば、図２（ｂ）（ｃ）では、バー枠３３とバー３４は長手方向に連続している態様であるが、よくあるような、セグメントを連続配置させるような態様のものとされてもよい。
また、図２（ｂ）（ｃ）では、バー枠３３について長手方向が水平とされる配置態様となっているが、例えば長手方向が垂直となる配置態様とされてもよい。さらに、バー形式ではなく、円グラフのような態様の進行状況指示画像とすることも考えられる。
また、図７（ａ）（ｂ）に示したような文字数字の表示による進行状況指示画像３２Ａに関しても、例えば文字形状（フォント形状）であるとか、進行状況としての数字文字のほかに、どのようなコメントの文字、図柄、アイコンなどを付加するのかなど、やはり、デザイン的なことについては適宜変更されて良い。
また、グラフ的表示による進行状況指示画像と、文字数字による進行状況指示画像との関係として、例えば何れか一方のみをＤＶＤプレーヤ１により表示可能な進行状況指示画像として採用してもよいし、両者の進行状況指示画像を採用することとしてもよい。両者を採用する場合においては、例えば両方の進行状況指示画像を同時に表示出力させるようにしてもよいし、例えばユーザ操作に応じて、あるいは所定時間ごとに自動的に交互に切り換わるようにして、何れか一方の進行状況指示画像が表示されるようにしてもよい。
また、さらには、主画像が表示される表示画面とは別に、例えば、ＤＶＤプレーヤ１の本体などの表示部などにおいて進行状況を表示させることも考えられる。
【００５１】
また、本願発明としては、上記の進行状況指示画像の表示態様など以外に関しても、これまでに説明した実施の形態としての構成に限定されるべきものではない。
例えば、進行状況指示画像を主画像に対して重畳表示させるためのＯＳＤ機能のための信号処理構成としては、図１に示した例に限定されるべきではない。例えば、図１との対応であれば、テレビジョンチューナ１１や入出力処理部１２としての機能部位において、進行状況指示画像を重畳表示させるためのＯＳＤ機能を与えるような構成とすることも考えられる。
また、上記実施の形態では、本願発明に基づく放送受信装置の構成をＤＶＤレコーダに適用しているが、例えば他の種類の録画装置などとされてもよい。また、同じテレビジョン放送を受信選局する機能を有する機器として、テレビジョン受像機などに適用しても非常に有用である。テレビジョン受像機の場合には、本願発明でいうところの「コンテンツ信号を画像及び／又は音声として出力することの可能な経路」は、テレビジョンチューナにより選局して得たビデオ信号(コンテンツ信号)を、ディスプレイにて画像として表示させるための信号経路が対応することになる。さらには近年では、携帯電話装置やパーソナルコンピュータなどでもテレビジョン放送の受信機能を備えているので、これらの機器にも適用することができる。
さらに、本願発明としては、例えば、ラジオ放送を受信選局する放送受信装置などにも適用することができる。つまり、放送受信装置として、ラジオ放送から或る放送局を選局して、その音声を再生出力させる機能とともに、ラジオ放送に関するＥＰＧデータを取得して保持する機能を与えるようにされる。そして、現在において音声出力中のラジオ番組についての進行状況を、ＥＰＧデータにおける番組開始／終了時刻の情報と現在時刻情報とに基づいて判定し、この判定された進行状況を示す画像を、外部端子によりビデオ信号として出力させたり、あるいは、放送受信装置が備える表示部に表示させるようにするものである。
【図面の簡単な説明】
【００５２】
【図１】本発明の実施の形態としてのＤＶＤレコーダの構成例を示すブロック図である。
【図２】実施の形態としての進行状況指示画像の表示態様例を示す図である。
【図３】ＥＰＧデータを取得するための処理手順例を示すフローチャートである。
【図４】実施の形態の進行状況指示画像を表示出力するための処理手順例を示すフローチャートである。
【図５】実施の形態において、進行状況指示画像の表示出力のために取得する現在時刻情報の内容例を示す図である。
【図６】ＥＰＧデータにおける１番組分に対応する内容例を示す図である。
【図７】実施の形態としての進行状況指示画像についての他の表示態様例を示す図である。
【符号の説明】
【００５３】
１  ＤＶＤレコーダ、１１  テレビジョンチューナ、１２  入出力処理部、１３  ビデオ信号処理部、１４  ＤＶＤドライブ、１５  ＨＤＤ、１６  ネットワーク通信部、１７  制御部、１８  ＥＰＧメモリ、１９  表示部、２０  操作部、３１  表示画面、３２  進行状況指示画像、３３  バー枠、３４  バー
【図１】
2008092094.tif 000003
【図２】
2008092094.tif 000004
【図３】
2008092094.tif 000005
【図４】
2008092094.tif 000006
【図５】
2008092094.tif 000007
【図６】
2008092094.tif 000008
【図７】
2008092094.tif 000009
【手続補正書】
【提出日】平成18年10月3日(2006.10.3)
【手続補正１】
【補正対象書類名】図面
【補正対象項目名】図１
【補正方法】変更
【補正の内容】
【図１】
2008092094.tif 000010